(57)【要約】【課題】  運搬・保管がし易く、さらに便器の形状に合わせた形状であっても取り扱い性が損なわれない衛生シートロールを提供する。【解決手段】  基材層の上面側に吸水層を備えてなる帯状シートをロール状に巻き取ることにより形成され、その巻き取り方向と交差するように、かつ、巻き取り方向において等間隔に設けられる破断予定線をトイレに設置される便器の下端周縁部に沿うように形成し、その破断予定線で帯状シートを切り離すことにより、トイレ床面に敷く衛生シートとして使用できるようにしたことを特徴とする。【選択図】図１
2006149973.tif 000002
【特許請求の範囲】
【請求項１】
基材層の上面側に吸水層を備えてなる帯状シートをロール状に巻き取ることにより形成され、その巻き取り方向と交差するように、かつ、前記巻き取り方向において等間隔に設けられる破断予定線で前記帯状シートを切り離すことにより、床面に敷く衛生シートとして使用できるようにしたことを特徴とする衛生シートロール。
【請求項２】
請求項１に記載の衛生シートロールであって、
前記破断予定線を、トイレに設置される便器の下端周縁部に沿うように形成したことを特徴とする衛生シートロール。
【請求項３】
請求項１又は２に記載の衛生シートロールであって、
前記吸水層は、吸水性樹脂を混入してなる綿状体を、透水性樹脂シートで上下から挟み込むことにより形成されており、前記破断予定線を境にして前記巻き取り方向で分割されていることを特徴とする衛生シートロール。
【請求項４】
請求項１乃至３のいずれかに記載の衛生シートロールであって、
前記基材層は、非透水性樹脂シートで形成されていることを特徴とする衛生シートロール。
【請求項５】
請求項１乃至４のいずれかに記載の衛生シートロールであって、
前記基材層の下面側には、スポンジが固定されていることを特徴とする衛生シートロール。
【請求項６】
請求項１乃至５のいずれかに記載の衛生シートロールであって、
上面側が黒色に着色されていることを特徴とする衛生シートロール。
【発明の詳細な説明】
【技術分野】
【０００１】
本発明は、トイレ床面等の汚れを防止するために敷く衛生シートに関連する技術分野に属する。
【背景技術】
【０００２】
従来、トイレの床面が便器の外側に滴下した小便で汚れることを防止するため、便器回りの足元に敷く使い捨てタイプの衛生シートが提案されている（例えば、特許文献１乃至５参照）。これらの使い捨てタイプの衛生シートは、汚損した場合に新しいシートと交換するだけで良いから、公衆トイレ等、大人数で使用するようなトイレでは大変重宝されるものである。
【特許文献１】特開平７−２１３４５８号公報
【特許文献２】特開平８−１６４０９４号公報
【特許文献３】特開平１１−２８５４５８号公報
【特許文献４】実用新案登録第３０３２２１０号公報
【特許文献５】実用新案登録第３０４７９２０号公報
【発明の開示】
【発明が解決しようとする課題】
【０００３】
しかしながら、便器回りの汚れを確実に防止するためには、衛生シートの面積を大きくせざるを得ないことから、嵩が大きくなって、運搬・保管がしにくくなり、取り扱いの仕方によっては裂けたり、シワができたりするという問題がある。また、便器の脚部となる下端周縁部は、船の舳先のように後方へ突出した形状となっているが、その形状に沿わせるために衛生シートに凹状の切欠きを形成する場合には、ますます取り扱いがしにくくなる。
【０００４】
本発明は、斯かる実情に鑑み、運搬・保管がし易く、さらに便器の形状に合わせた形状であっても取り扱い性が損なわれない衛生シートロールを提供しようとするものである。
【課題を解決するための手段】
【０００５】
本願の請求項１に記載の発明は、基材層の上面側に吸水層を備えてなる帯状シートをロール状に巻き取ることにより形成され、その巻き取り方向と交差するように、かつ、前記巻き取り方向において等間隔に設けられる破断予定線で前記帯状シートを切り離すことにより、床面に敷く衛生シートとして使用できるようにしたことを特徴とする衛生シートロールを提供する。
【０００６】
本願の請求項２に記載の発明は、請求項１に記載の衛生シートロールであって、前記破断予定線を、トイレに設置される便器の下端周縁部に沿うように形成したことを特徴とする衛生シートロールを提供する。
【０００７】
本願の請求項３に記載の発明は、請求項１又は２に記載の衛生シートロールであって、
前記吸水層は、吸水性樹脂を混入してなる綿状体を、透水性樹脂シートで上下から挟み込むことにより形成されており、前記破断予定線を境にして前記巻き取り方向で分割されていることを特徴とする衛生シートロールを提供する。
【０００８】
本願の請求項４に記載の発明は、請求項１乃至３のいずれかに記載の衛生シートロールであって、前記基材層は、非透水性樹脂シートで形成されていることを特徴とする衛生シートロールを提供する。
【０００９】
本願の請求項５に記載の発明は、請求項１乃至４のいずれかに記載の衛生シートロールであって、前記基材層の下面側には、スポンジが固定されていることを特徴とする衛生シートロールを提供する。
【００１０】
本願の請求項６に記載の発明は、請求項１乃至５のいずれかに記載の衛生シートロールであって、上面側が黒色に着色されていることを特徴とする衛生シートロールを提供する。
【発明の効果】
【００１１】
本発明の請求項１に記載の衛生シートロールによれば、基材層の上面側に吸水層を備えてなる帯状シートをロール状に形成して、使用時に破断予定線で切り離すことにより衛生シートとして使用できるようにしたので、一枚ずつ切り離した状態で生産される衛生シートのように、枚数を数えたり、揃えて重ねたり、重ねられた状態のシートを包装したりする必要がない。その結果、生産性に優れ、低コストで製造できるという優れた効果を奏し得る。また、運搬・保管がし易く、使用時に取り扱い性が良いという効果も奏し得る。
【００１２】
本発明の請求項２に記載の衛生シートロールによれば、請求項１に記載の衛生シートロールが奏する効果に加えて、以下の優れた効果を奏し得る。破断予定線をトイレに設置される便器の下端周縁部に沿うように形成したので、単なる帯状シートを巻き取ったものでありながら、破断予定線で切り離すことにより、切り離されたシート端部の形状が便器に沿う形状となって、便器回りの足元を小便による汚れから確実に保護することができるものである。
【００１３】
本発明の請求項３に記載の衛生シートロールによれば、請求項１又は２のいずれかに記載の衛生シートロールが奏する効果に加えて、以下の優れた効果を奏し得る。吸水性樹脂を混入してなる綿状体を透水性樹脂シートで挟み込むことにより吸水層を形成したので、滴下した小便を速やかに吸収することができ、また、破断予定線を境に吸水層を分割形成して基材層のみを破断させるようにしたので、透水性樹脂シートが破れて吸水性樹脂等が外部に飛散することを防止できるものである。
【００１４】
本発明の請求項４に記載の衛生シートロールによれば、請求項１乃至３のいずれかに記載の衛生シートロールが奏する効果に加えて、以下の優れた効果を奏し得る。基材層は、非透水性樹脂シートで形成されているので、吸水層に吸収された小便が下面側へ滲み出して床面を汚すことを防止できるという優れた効果を奏し得る。
【００１５】
本発明の請求項５に記載の衛生シートロールによれば、請求項１乃至４のいずれかに記載の衛生シートロールが奏する効果に加えて、以下の優れた効果を奏し得る。前記基材層の下面側にスポンジを固定したので、トイレ掃除後等で床面が水に濡れていても、その水をスポンジで吸収して衛生シートが滑ることを防止できるという優れた効果を奏し得る。
【００１６】
本発明の請求項６に記載の衛生シートロールによれば、請求項１乃至５のいずれかに記載の衛生シートロールが奏する効果に加えて、以下の優れた効果を奏し得る。上面側が黒色に着色されているため、小便が滴下しても目立たないという優れた効果を奏し得る。
【発明を実施するための最良の形態】
【００１７】
以下、本発明の実施の形態を、添付図面を参照しながら説明する。
【００１８】
図１〜図３は、発明を実施する形態の一例であって、図１は、本実施形態に係る衛生シートロールを表した図である。図２において、（ａ）は、衛生シートロールを切り離すことにより得られる衛生シートの平面図、（ｂ）は、（ａ）のＡ−Ａ断面を示す断面図である。図３は、衛生シートを小便器の足元に設置した様子を示す図である。
【００１９】
〔衛生シートロール１〕
衛生シートロール１は、図１に示されるように、一定幅の帯状シート２を芯材１１回りに巻き取ってロール状に形成したものである。帯状シート２は、ロール巻き取り方向（図１中の矢印Ｘ方向）において等間隔に、かつ、ロール巻き取り方向と交差するように形成される破断予定線２ａが設けられており、破断予定線２ａで順次切り離すことにより、トイレの床面に敷く衛生シート２１として使用することができる。
【００２０】
〔帯状シート２〕
帯状シート２は、図２に示されるように、基材層３の上面側に、吸水層４、及び覆い層５（図１では省略）を備える一方、基材層３の下面側にスポンジ６（図１では省略）が固定されてなる。基材層３は、上面側に固定される吸水層４の幅方向（図２中のＹ方向）の両端部４ａを覆うように上面側に折り返されている。覆い層５は、吸水層４の上面側を覆うように設けられ、その幅方向の両端が基材層３の折り返し部３ａに接着固定されている。スポンジ６は、小さな丸状に形成されており、基材層３の下面側に散点状に固定されている。
【００２１】
〔破断予定線２ａ〕
破断予定線２ａは、帯状シート２を幅方向に横断するように形成され、これを境にして帯状シート２を容易に切り離すことができるように加工処理したミシン目状の切れ目であり、鋏やカッターを準備しなくても狙いどおりの形状に切り離すことができるものである。破断予定線２ａは、開き角１２０度のＶ字形に形成されているため、帯状シート２を切り離して得られる衛生シート２１は、図１及び図２（ａ）に示されるように、Ｖ字形の切欠き２１ａを有する矢羽状に形成される。
【００２２】
したがって、衛生シート２１は、図３に示されるように、切欠き２１ａをトイレに設置される小便器Ｂの下端周縁部Ｂ１に沿わせるように敷くことができ、小便器回りの足元を小便による汚れから保護することができるものである。なお、１２０度という開き角度は、各種の小便器を調査した結果に基づき、より多くの小便器に対応可能となるように設定したものであるが、便器ごとに異なる開き角度のものを用意するようにしても良い。
【００２３】
〔基材層３〕
基材層３は、ポリエチレンにより形成される非透水性フィルムシートを一定幅の帯状にしたものである。したがって、後述する吸水層に吸収された小便が下面側へ滲み出して床面を汚すことを確実に防止することができる。上述したように吸水層４の両端を覆う折り返し部３ａを設けるため、帯状シート２よりも幅が広く設定されている。基材層３には、上述した破断予定線２ａが形成されている。
【００２４】
〔吸水層４〕
吸水層４は、吸水性を有する綿状体４１を透水性樹脂シート４２で上下から挟みこんだものである。綿状体４１は、綿状パルプ４１ａを母材として、これに吸水性樹脂４１ｂ及び臭気吸着剤４１ｃが混入されてなる。透水性樹脂シート４２は、不織布により形成されるシート材であって、内部に収容する吸水性樹脂４１ｂや臭気吸着剤４１ｃを外部に飛散させないように、その周縁部が接着処理されている。また、吸水層４は、破断予定線２ａを境にして巻き取り方向で分割形成されているので、帯状シート２を破断予定線２ａで切り離しても、透水性樹脂シート４２が破断されて内部の吸水性樹脂４１ｂ等が飛散するようなことはない。
【００２５】
〔覆い層５〕
覆い層５は、上面側から滴下した小便を通過させる透水性を有するとともに、綿状体４１に一旦吸収された小便が逆戻りしにくいように処理されており、これによって、トイレの使用者が衛生シート２１を踏みつけるようなことがあっても、表面に小便が滲み出したりしないので使用者に不快感を与えることがない。なお、覆い層５を形成するシートは、基材層３と同様に帯状に形成されており、基材層３とともに切り離されるように破断予定線２ａが形成されている。
【００２６】
〔スポンジ６〕
基材層３の下面側には、すべり止めとなるスポンジ６が散点状に固定されている。スポンジは、表面の凹凸が滑りに対する抵抗作用を発揮し、また、トイレの床面が掃除等により水で濡れていても水を吸収することで滑りを有効に防止できる。なお、通常、滑り止めとしては粘着材が採用されるが、トイレ床面が水濡れしている場合には、まったく用をなさない一方、本実施形態のように、帯状シート２をロール状に巻回する場合には、粘着材とシート上面に引っ付かないように剥離紙を付加しなければならないという問題がある。
【００２７】
〔帯状シート２に対する着色〕
帯状シート２は、吸水層４の表面及び覆い層５が黒色に着色されている。したがって、小便が滴下しても、そのシミが目立たないため、使用者に不快感を与えずに済む。
【００２８】
〔衛生シートロール１の特徴点〕
衛生シートロール１は、破断予定線２ａが等間隔で形成される帯状シート２を、ロール状に巻き取って形成したものであるから、運搬・保管等の取り扱い性が良く、破断予定線２ａで切り離すことにより一定の大きさを有する衛生シートが得られるという特徴点を有している。
【００２９】
〔上記実施形態の変形例〕
上記実施形態では、帯状シート２に形成する破断予定線２ａの形状をＶ字形としたが、破断予定線２ａは、小便器の下端周縁部に沿う切欠きを形成するものであれば良く、例えば、図４（ａ）〜（ｃ）に点線で示されるような形状にしても良い。また、破断予定線２ａは、必ずミシン目状の切れ目としなければならないものではなく、帯状シートを切れ易くする他の加工処理を施すようにしも良いし、あるいは、単に目印となる線を描くだけにしても良い。
【００３０】
上記実施形態では、衛生シート２１は小便器回りの床面に敷くものとして説明したが、これに限らず、大便器回りの床面に敷くものとしても良いし、洗面台の足元に敷くものとしても良い。
【００３１】
上記実施形態では、吸水層４に吸水性樹脂４１ｂを添加したが、綿状パルプ４１ａが十分な吸水性を有している場合には、吸水性樹脂４１ｂを添加しなくても良い。また、衛生シート２１を洗面台の足元に敷くシートとして利用する等、臭いが気にならないような場合には、臭気吸着剤４１ｃを添加しなくても良い。
【００３２】
上記実施形態では、スポンジ６は、小さな丸形状のものを散点状に設けたが、異なる大きさ・形状（例えば、四角状、線状）のものを採用しても良く、固定位置を変更しても良い。
【００３３】
上記実施形態では、吸水層４の表面及び覆い層５を黒色に着色することとしたが、吸水層４の内部が透けて見えるような場合には、吸水層４の表面のみならず全体を黒色に着色しても良い。
【００３４】
尚、本発明の衛生シートロールは、上記した実施の形態に限定されるものではなく、本発明の要旨を逸脱しない範囲内において種々変更を加え得ることは勿論である。
【図面の簡単な説明】
【００３５】
【図１】本実施形態に係る衛生シートロールを表した図。
【図２】（ａ）は、衛生シートロールから切り離された衛生シートの平面図、（ｂ）は、（ａ）のＡ−Ａ断面を示す断面図。
【図３】衛生シートを小便器の足元に設置した様子を示す図。
【図４】帯状シートに形成される破断予定線の変形例を示す図。
【符号の説明】
【００３６】
１    衛生シートロール
１１    芯材
２    帯状シート
２ａ    破断予定線
２１    衛生シート
３    基材層
３ａ    折り返し部
４    吸水層
４ａ    両端部
４１    綿状体
４１ａ    綿状パルプ
４１ｂ    吸水性樹脂
４１ｃ    臭気吸着剤
４２    透水性樹脂シート
５    覆い層
６    スポンジ
Ｂ    小便器
Ｂ１    下端周縁部
【図１】
2006149973.tif 000003
【図２】
2006149973.tif 000004
【図３】
2006149973.tif 000005
【図４】
2006149973.tif 000006